(57)【要約】【課題】従来からの緩衝材を用いることなく内部の物品Ｍを保護可能で、複数回の利用ないし往復運送が可能であるとともに、省資源の観点からも望ましい物品運送用通い箱およびその内部仕切り方法物品運送用通い箱およびその内部仕切り方法を提供すること。【解決手段】中仕切り部材３により箱本体２の内部を仕切ること、中仕切り部材３を箱本体２内部に着脱可能に取り付けるための部材として着脱可能な面ファスナーを用いることに着目したもので、箱本体２の内壁面に本体面ファスナー７を取り付け、さらに、箱本体２に収容可能であるとともに本体面ファスナー７に着脱可能な仕切り面ファスナー１０を取り付けた中仕切り部材３を設け、中仕切り部材３により箱本体２の内部を、物品Ｍを収容する物品収容空間１３と、物品Ｍを収容しない緩衝空間１４と、に仕切り可能としていることを特徴とする。【選択図】図３
2010006419.tif 000002
【特許請求の範囲】
【請求項１】
任意の物品を収容して運送可能な箱本体を有する物品運送用通い箱であって、
前記箱本体の内壁面に本体面ファスナーを取り付け、さらに、
前記箱本体に収容可能であるとともに、この本体面ファスナーに着脱可能な仕切り面ファスナーを取り付けた中仕切り部材を設け、
この中仕切り部材により前記箱本体の内部を、前記物品を収容する物品収容空間と、前記物品を収容しない緩衝空間と、に仕切り可能としていることを特徴とする物品運送用通い箱。
【請求項２】
前記本体面ファスナーおよび前記仕切り面ファスナーは、
前記箱本体の深さ方向において前記中仕切り部材を任意の深さに固定可能とするように、これを設けたことを特徴とする請求項１記載の物品運送用通い箱。
【請求項３】
前記本体面ファスナーおよび前記仕切り面ファスナーは、
前記箱本体の所定の深さにおける水平面内において前記中仕切り部材を任意の位置に固定可能とするように、これを設けたことを特徴とする請求項１記載の物品運送用通い箱。
【請求項４】
前記本体面ファスナーは、これを連続状に設けたことを特徴とする請求項１記載の物品運送用通い箱。
【請求項５】
前記本体面ファスナーは、これを不連続状に設けたことを特徴とする請求項１記載の物品運送用通い箱。
【請求項６】
前記仕切り面ファスナーは、
前記中仕切り部材の外壁面にこれを取り付けたことを特徴とする請求項１記載の物品運送用通い箱。
【請求項７】
前記中仕切り部材は、これを複数個設けたことを特徴とする請求項１記載の物品運送用通い箱。
【請求項８】
前記中仕切り部材は、
前記箱本体の内部平面を覆うとともに、その内壁面に第１の補助仕切り面ファスナーを取り付けた第１の中仕切り部材と、
この第１の補助仕切り面ファスナーに着脱可能な第２の補助仕切り面ファスナーを取り付けて、この第１の中仕切り部材に対して任意の位置に着脱可能な第２の中仕切り部材と、を有することを特徴とする請求項１記載の物品運送用通い箱。
【請求項９】
前記第２の中仕切り部材は、
その一端部を前記第１の中仕切り部材に固定しているとともに、
その他端部を前記第２の補助仕切り面ファスナーおよび前記第１の補助仕切り面ファスナーにより、前記第１の中仕切り部材に対して着脱可能としていることを特徴とする請求項８記載の物品運送用通い箱。
【請求項１０】
任意の物品を収容して運送可能な箱本体を有する物品運送用通い箱の内部仕切り方法であって、
前記箱本体の内壁面に本体面ファスナーを取り付け、さらに、
前記箱本体に収容可能であるとともに、この本体面ファスナーに着脱可能な仕切り面ファスナーを取り付けた中仕切り部材を設け、
この中仕切り部材により前記箱本体の内部を、前記物品を収容する物品収容空間と、前記物品を収容しない緩衝空間と、に仕切ることを特徴とする物品運送用通い箱の内部仕切り方法。
【請求項１１】
前記中仕切り部材を前記箱本体に収容される前記物品に合わせて前記箱本体に固定することにより、前記物品を前記物品収容空間内に動かないように収容可能とすることを特徴とする請求項１０記載の物品運送用通い箱の内部仕切り方法。
【発明の詳細な説明】
【技術分野】
【０００１】
本発明は物品運送用通い箱およびその内部仕切り方法にかかるもので、とくに任意の物品を収容し、所定の場所を往復するなどして運送するための物品運送用通い箱およびその内部仕切り方法に関するものである。
【背景技術】
【０００２】
従来の物品運送用通い箱には、任意の物品とともにクッション性のある緩衝材を容れて、内部に収容した運送物品が動かないようにしているが、この緩衝材は、運送先で廃棄物として処理されてしまうため、省資源の観点からは問題がある。
【０００３】
この緩衝材を再使用する場合には、運送元に返却する緩衝材自体の容量が大きくなるために処理が面倒であるという問題がある。
また、空箱の状態となった物品運送用通い箱に緩衝材を再度容れて運送元に返却するなどの手配を行う場合には、物品運送用通い箱が本来返却の際には折り畳むことが前提であるにもかかわらず、物品運送用通い箱の容量が減らずに取扱いが不便であるという問題がある。
【０００４】
【特許文献１】特開平６−２８６７４６号公報
【発明の開示】
【発明が解決しようとする課題】
【０００５】
本発明は以上のような諸問題にかんがみなされたもので、従来からの緩衝材を用いることなく内部の物品を保護可能であるとともに、複数回の利用ないし往復運送が可能な物品運送用通い箱およびその内部仕切り方法を提供することを課題とする。
【０００６】
また本発明は、物品運送用通い箱の返却にあたってその容量を減らすように、従来と同様に折り畳み可能である物品運送用通い箱およびその内部仕切り方法を提供することを課題とする。
【０００７】
また本発明は、物品の運送先における緩衝材など廃棄物の排出量を削減可能で、省資源の観点からも望ましい物品運送用通い箱およびその内部仕切り方法を提供することを課題とする。
【課題を解決するための手段】
【０００８】
すなわち本発明は、箱本体に緩衝材を詰め込む代わりに、中仕切り部材により箱本体の内部を仕切ること、中仕切り部材を箱本体内部に着脱可能に取り付けるための部材として着脱可能な面ファスナーを用いることに着目したもので、第一の発明は、任意の物品を収容して運送可能な箱本体を有する物品運送用通い箱であって、上記箱本体の内壁面に本体面ファスナーを取り付け、さらに、上記箱本体に収容可能であるとともに、この本体面ファスナーに着脱可能な仕切り面ファスナーを取り付けた中仕切り部材を設け、この中仕切り部材により上記箱本体の内部を、上記物品を収容する物品収容空間と、上記物品を収容しない緩衝空間と、に仕切り可能としていることを特徴とする物品運送用通い箱である。
【０００９】
上記本体面ファスナーおよび上記仕切り面ファスナーは、上記箱本体の深さ方向において上記中仕切り部材を任意の深さに固定可能とするように、これを設けることができる。
【００１０】
上記本体面ファスナーおよび上記仕切り面ファスナーは、上記箱本体の所定の深さにおける水平面内において上記中仕切り部材を任意の位置に固定可能とするように、これを設けることができる。
【００１１】
上記本体面ファスナーは、これを連続状に設けることができる。
【００１２】
上記本体面ファスナーは、これを不連続状に設けることができる。
【００１３】
上記仕切り面ファスナーは、上記中仕切り部材の外壁面にこれを取り付けることができる。
【００１４】
上記中仕切り部材は、これを複数個設けることができる。
【００１５】
上記中仕切り部材は、上記箱本体の内部平面を覆うとともに、その内壁面に第１の補助仕切り面ファスナーを取り付けた第１の中仕切り部材と、この第１の補助仕切り面ファスナーに着脱可能な第２の補助仕切り面ファスナーを取り付けて、この第１の中仕切り部材に対して任意の位置に着脱可能な第２の中仕切り部材と、を有することができる。
【００１６】
上記第２の中仕切り部材は、その一端部を上記第１の中仕切り部材に固定しているとともに、その他端部を上記第２の補助仕切り面ファスナーおよび上記第１の補助仕切り面ファスナーにより、上記第１の中仕切り部材に対して着脱可能としていることができる。
【００１７】
第二の発明は、任意の物品を収容して運送可能な箱本体を有する物品運送用通い箱の内部仕切り方法であって、上記箱本体の内壁面に本体面ファスナーを取り付け、さらに、上記箱本体に収容可能であるとともに、この本体面ファスナーに着脱可能な仕切り面ファスナーを取り付けた中仕切り部材を設け、この中仕切り部材により上記箱本体の内部を、上記物品を収容する物品収容空間と、上記物品を収容しない緩衝空間と、に仕切ることを特徴とする物品運送用通い箱の内部仕切り方法である。
【００１８】
上記中仕切り部材を上記箱本体に収容される上記物品に合わせて上記箱本体に固定することにより、上記物品を上記物品収容空間内に動かないように収容可能とすることができる。
【００１９】
上記中仕切り部材は、箱本体の内部を仕切ることができれば、箱本体や物品の大きさや形状に合わせて任意の大きさないし形状にこれを構成可能であるとともに、これを設ける数も任意であり、かつこれを平坦に折り畳むことができるようにすることも容易である。
【発明の効果】
【００２０】
本発明による物品運送用通い箱およびその内部仕切り方法においては、箱本体の内壁面に本体面ファスナーを取り付け、さらに、この本体面ファスナーに着脱可能な仕切り面ファスナーを取り付けた中仕切り部材を設けて、この中仕切り部材により箱本体の内部を、物品を収容する物品収容空間と、物品を収容しない緩衝空間と、に仕切り可能としたので、緩衝空間に従来のような緩衝材を詰め込む必要がなく、物品収容空間に収容した各種物品を動かないように保護することができるとともに、従来のように緩衝材を用いることがないので、廃棄物の排出量を削減することができる。
【００２１】
とくに第一の発明によれば、箱本体の内壁面に取り付けた本体面ファスナーと、中仕切り部材に取り付けた仕切り面ファスナーと、により中仕切り部材を任意の部位ないし姿勢に固定可能であり、従来のような緩衝材を用いることなく、箱本体内部に収容した各種物品を動かないように保護することができる。
【００２２】
とくに第二の発明によれば、本体面ファスナーを取り付けた箱本体を、中仕切り部材により、物品を収容する物品収容空間と、物品を収容しない緩衝空間と、に仕切り可能としたので、緩衝空間に従来のような緩衝材を詰め込む必要がなく、箱本体の内部を仕切ることができる。
【発明を実施するための最良の形態】
【００２３】
本発明は、箱本体の内壁面に取り付けた本体面ファスナーと、中仕切り部材に取り付けた仕切り面ファスナーと、により箱本体に着脱可能とした中仕切り部材を従来の緩衝材の代わりに用いることができるので、再利用が可能な物品運送用通い箱およびその内部仕切り方法を実現した。
【実施例】
【００２４】
つぎに本発明の第１の実施例による物品運送用通い箱１およびその内部仕切り方法を図１ないし図４にもとづき説明する。
図１は、物品運送用通い箱１の斜視図であって、物品運送用通い箱１は、箱本体２と、中仕切り部材３（図２）と、を有する。
箱本体２は、紙材あるいは合成樹脂材その他任意の強度を有する段ボールなどの材料によりたとえば直方体形状に形成したもので、その互いに対向する一対の側面部２Ａに把持用貫通窓４をそれぞれ形成するとともに、内部に収容して運搬する物品Ｍ（図３、図４）の情報を表示するためのラベル(コンテナラベル５)の貼付け部６を他の側面部２Ａに設けている。
箱本体２の上部に位置する蓋部２Ｂを開閉可能とし、蓋部２Ｂを閉鎖固定するための閉鎖片２Ｃを設けている。
【００２５】
図２は、中仕切り部材３の斜視図、図３は、箱本体２に中仕切り部材３を収容した状態の斜視図、図４は、物品運送用通い箱１の縦断面図である。
とくに図３に示すように、箱本体２の互いに対向する側面部２Ａの内壁面２Ｄそれぞれの所定の深さに対向する部分には本体面ファスナー７を取り付けている。
【００２６】
中仕切り部材３は、第１の中仕切り部材８と、第２の中仕切り部材９と、を有し、箱本体２の内部平面を覆うとともに、箱本体２の内法とほぼ同等の大きさを有してその内部に収容可能である。
第１の中仕切り部材８は、箱本体２の内部平面を覆うことができる矩形状の仕切り面部８Ａと、仕切り面部８Ａの周囲四方に折り曲げ可能に一体に形成した取付け面部８Ｂと、を有し、互いに対向する取付け面部８Ｂのそれぞれの外壁面８Ｃに、本体面ファスナー７それぞれに着脱可能な一対の仕切り面ファスナー１０を取り付けている。
すなわち、本体面ファスナー７および仕切り面ファスナー１０は、いわゆるワンタッチファスナーであって、この対により中仕切り部材３（第１の中仕切り部材８）を箱本体２の所定の深さに着脱可能である。
【００２７】
第１の中仕切り部材８には、その取付け面部８Ｂの内壁面８Ｄに単一の第１の補助仕切り面ファスナー１１を取り付けている。
第２の中仕切り部材９は、帯状の補助仕切り面部９Ａと、補助仕切り面部９Ａの両端部にそれぞれ折り曲げ可能に一体に形成した固定端部９Ｂおよび自由端部９Ｃと、を有する。
第２の中仕切り部材９の自由端部９Ｃの外壁面９Ｄには、第１の補助仕切り面ファスナー１１に着脱可能な第２の補助仕切り面ファスナー１２を取り付けて、第２の中仕切り部材９の自由端部９Ｃを第１の中仕切り部材８に対して着脱可能としている。
すなわち、第２の中仕切り部材９は、その一端部（固定端部９Ｂ）を第１の中仕切り部材８に固定しているとともに、その他端部（自由端部９Ｃ）を第２の補助仕切り面ファスナー１２および第１の補助仕切り面ファスナー１１により第１の中仕切り部材８の内方側に着脱可能としている。
【００２８】
この中仕切り部材３（第１の中仕切り部材８、第２の中仕切り部材９）により箱本体２の内部を、物品Ｍを収容する物品収容空間１３（第１の物品収容空間１３Ａ、第２の物品収容空間１３Ｂ）と、物品Ｍを収容しない緩衝空間１４と、に仕切り可能としている。
すなわち、とくに図４に示すように、箱本体２の底面部２Ｅおよび四方の側面部２Ａと、第１の中仕切り部材８の仕切り面部８Ａと、の間に第１の物品収容空間１３Ａを区画形成可能としている。
また、第１の中仕切り部材８に組み合わせる第２の中仕切り部材９により、第１の中仕切り部材８の内部空間の一方を第２の物品収容空間１３Ｂに区画形成可能とするとともに、他方を緩衝空間１４に区画形成可能としている。
なお、物品収容空間１３（第１の物品収容空間１３Ａ、第２の物品収容空間１３Ｂ）については、その内部に収容される各種物品Ｍの大きさや形状に合わせて、かつ運搬にあたって物品Ｍが動かないように、また、破損しないように梱包可能とし、振動などから保護可能な緩衝機能を有するようにこれを形成する。
【００２９】
こうした構成の物品運送用通い箱１において、とくに図３および図４に示すように、箱本体２内における物品収容空間１３（第１の物品収容空間１３Ａ）内に物品Ｍを収容したのち、箱本体２の側面部２Ａの内壁面２Ｄにおける本体面ファスナー７に、中仕切り部材３(第１の中仕切り部材８)の外壁面８Ｃにおける仕切り面ファスナー１０を係合させることにより、箱本体２の深さ方向において中仕切り部材３を任意の深さに固定可能とし、箱本体２の内部を仕切って、中仕切り部材３の下方空間（第１の物品収容空間１３Ａ）に物品Ｍを固定して収容することができ、従来のような緩衝材を必要としない。
【００３０】
さらに、中仕切り部材３内において、第１の中仕切り部材８に対して第２の中仕切り部材９の自由端部９Ｃを第１の補助仕切り面ファスナー１１および第２の補助仕切り面ファスナー１２により所定の水平位置に固定することによって第２の物品収容空間１３Ｂを形成することができ、上述の第１の物品収容空間１３Ａにおけると同様に箱本体２の内部を仕切って、他の大きさないし形状の物品Ｍを安定して収容可能である。
【００３１】
なお、第１の補助仕切り面ファスナー１１に第２の補助仕切り面ファスナー１２を係合させることなく、第２の中仕切り部材９の自由端部９Ｃを第１の中仕切り部材８の内壁面８Ｄに固定しないようにすれば、固定端部９Ｂを基軸にして第２の中仕切り部材９を固定端部９Ｂ側の内壁面８Ｄ側に押し付けるようにして第２の物品収容空間１３Ｂを拡大するか、あるいは第２の物品収容空間１３Ｂを形成しないようにすることもできる。
【００３２】
物品Ｍを取り出す際には、本体面ファスナー７から仕切り面ファスナー１０を取り外すことにより、中仕切り部材３を箱本体２から外すことができる。
物品運送用通い箱１および中仕切り部材３を運送元に返送する際には、これらを平板状に折り畳むことができるので、取扱いが容易である。
さらに、箱本体２、および箱本体２に合わせて形成した緩衝機能ないし仕切り機能を有する中仕切り部材３を一緒に返送して再利用が可能であって、次回の再利用を効率よく実施することができる。
【００３３】
図５は、中仕切り部材３の変形例を示す斜視図であって、中仕切り部材３内における第１の中仕切り部材８の取付け面部８Ｂに着脱可能に収容固定する第２の中仕切り部材９の両端部をともに自由端部９Ｃとしている。
さらに、自由端部９Ｃの外壁面９Ｄに取り付けた第２の補助仕切り面ファスナー１２に対向する内壁面８Ｄに第１の補助仕切り面ファスナー１１を連続して取り付けてある。
もちろん、第１の補助仕切り面ファスナー１１を所定間隔をあけた不連続状とすることもできる。
【００３４】
こうした構成の中仕切り部材３を用いることにより、箱本体２の所定の深さにおいてセットした中仕切り部材３において、第２の中仕切り部材８に対して第２の中仕切り部材９を任意の位置に固定可能とすることにより箱本体２の内部の仕切り形態を決定し、物品収容空間１３（第２の物品収容空間１３Ｂ）の大きさを調整可能である。
【００３５】
図６は、本発明の第２の実施例による物品運送用通い箱２０における箱本体２の蓋部２Ｂを取り除いた状態の平面図である。
物品運送用通い箱２０では、箱本体２の所定の深さにおける水平面内において、箱本体２の互いに対向する側面部２Ａの内壁面２Ｄそれぞれに水平方向に連続して(あるいは所定の間隔をおいて不連続状態で）前記本体面ファスナー７を取り付けてある。
中仕切り部材２１は、箱本体２内部の縦方向を仕切るためものであり、箱本体２の深さ分の高さを有する仕切り面部２１Ａと、仕切り面部２１Ａの両端部にそれぞれ折り曲げ可能に一体に形成した取付け面部２１Ｂと、を有する。
なお、必要ならば、中仕切り部材２１を前記中仕切り部材３と同様にその仕切り面部２１Ａの四辺（周囲四方）に折り曲げ可能に一体に取付け面部２１Ｂを形成して、中仕切り部材２１の強度を確保することができる。
【００３６】
一対の取付け面部２１Ｂの外壁面２１Ｃには、前記仕切り面ファスナー１０をそれぞれ取り付け、仕切り面ファスナー１０と本体面ファスナー７との着脱により、中仕切り部材２１を任意の横方向位置（図６中、仮想線参照）に着脱可能に固定可能とする。
【００３７】
こうした構成の物品運送用通い箱２０において、連続状の本体面ファスナー７の任意の位置に中仕切り部材２１の仕切り面ファスナー１０を固定することにより、箱本体２内部を任意の空間領域に仕切って、物品収容空間１３および緩衝空間１４を任意の割合で箱本体２内に区画形成可能である。
したがって、中仕切り部材２１により箱本体２の内部を横方向に区域分けして、比較的高さのある大きな物品Ｍであっても、その形状に応じた物品収容空間１３および緩衝空間１４を区画形成することができる。
【００３８】
図７は、本発明の第３の実施例による物品運送用通い箱３０の縦断面図であって、物品運送用通い箱３０においては、箱本体２の互いに対向する側面部２Ａの内壁面２Ｄそれぞれに縦方向に連続状(あるいは所定の間隔をおいて不連続状）の本体面ファスナー７を取り付けている。
前記中仕切り部材３（前記第１の中仕切り部材８）の一対の取付け面部８Ｂの外壁面８Ｃに仕切り面ファスナー１０をそれぞれ取り付け、仕切り面ファスナー１０と本体面ファスナー７との着脱により、中仕切り部材３を任意の深さ位置（図７中、仮想線参照）に着脱可能に固定可能とする。
【００３９】
こうした構成の物品運送用通い箱３０において、本体面ファスナー７および仕切り面ファスナー１０は、箱本体２の深さ方向において中仕切り部材３（第１の中仕切り部材８）を任意の深さに固定することができ、箱本体２内部を任意の空間領域に仕切って、物品収容空間１３および緩衝空間１４を任意の割合で箱本体２内に区画形成可能である。
したがって、中仕切り部材３により箱本体２の内部を縦方向に区域分けして、比較的横幅のある大きな物品Ｍであっても、その形状に応じた物品収容空間１３および緩衝空間１４を区画形成することができる。
【００４０】
図８は、本発明の第４の実施例による物品運送用通い箱４０における箱本体２の蓋部２Ｂを取り除いた状態の平面図、図９は、物品運送用通い箱４０の縦断面図である。
物品運送用通い箱４０においては、中仕切り部材は、これを複数個（すなわち、第１の中仕切り部材４１、第２の中仕切り部材４２、第３の中仕切り部材４３）設けている。
【００４１】
とくに図９に示すように、箱本体２の互いに対向する側面部２Ａの内壁面２Ｄそれぞれに縦方向に、それぞれの第１の中仕切り部材４１、第２の中仕切り部材４２、第３の中仕切り部材４３に対向するように、互いに所定の間隔をあけて三本の本体面ファスナー７をそれぞれ連続状(あるいは所定の間隔をおいて不連続状）に設けている。
【００４２】
第１の中仕切り部材４１は、箱本体２内部の所定横方向の空間部を縦方向を仕切るためものであり、所定の第１の横幅長さを有する仕切り面部４１Ａと、仕切り面部４１Ａの両端部にそれぞれ折り曲げ可能に一体に形成した取付け面部４１Ｂと、を有する。
一対の取付け面部４１Ｂの外壁面４１Ｃに仕切り面ファスナー１０をそれぞれ取り付け、仕切り面ファスナー１０と本体面ファスナー７との着脱により、第１の中仕切り部材４１を任意の深さ位置（図９中、仮想線参照）に着脱可能に固定可能とする。
同様に、第２の中仕切り部材４２は、箱本体２内部の所定横方向の空間部を縦方向を仕切るためものであり、所定の第２の横幅長さを有する仕切り面部４２Ａと、仕切り面部４２Ａの両端部にそれぞれ折り曲げ可能に一体に形成した取付け面部４２Ｂと、を有する。
一対の取付け面部４２Ｂの外壁面４２Ｃに仕切り面ファスナー１０をそれぞれ取り付け、仕切り面ファスナー１０と本体面ファスナー７との着脱により、第２の中仕切り部材４２を任意の深さ位置（図９中、仮想線参照）に着脱可能に固定可能とする。
さらに同様に、第３の中仕切り部材４３は、箱本体２内部の所定横方向の空間部を縦方向を仕切るためものであり、所定の第３の横幅長さを有する仕切り面部４３Ａと、仕切り面部４３Ａの両端部にそれぞれ折り曲げ可能に一体に形成した取付け面部４３Ｂと、を有する。
一対の取付け面部４３Ｂの外壁面４３Ｃに仕切り面ファスナー１０をそれぞれ取り付け、仕切り面ファスナー１０と本体面ファスナー７との着脱により、第３の中仕切り部材４３を任意の深さ位置（図９中、仮想線参照）に着脱可能に固定可能とする。
【００４３】
なお、必要ならば、前記中仕切り部材３（図２参照）と同様に、第１の中仕切り部材４１における仕切り面部４１Ａの四辺（周囲四方）に折り曲げ可能に一体にそれぞれ取付け面部４１Ｂを形成して、第１の中仕切り部材４１の強度を確保することができる。
同様に、第２の中仕切り部材４２における仕切り面部４２Ａの四辺（周囲四方）に折り曲げ可能に一体にそれぞれ取付け面部４２Ｂを形成して、第２の中仕切り部材４２の強度を確保することができる。
さらに同様に、第３の中仕切り部材４３における仕切り面部４３Ａの四辺（周囲四方）に折り曲げ可能に一体にそれぞれ取付け面部４３Ｂを形成して、第３の中仕切り部材４３の強度を確保することができる。
【００４４】
こうした構成の物品運送用通い箱４０において、それぞれの第１の中仕切り部材４１、第２の中仕切り部材４２および第３の中仕切り部材４３を箱本体２内の深さ方向に任意の位置に着脱可能に固定可能であって、箱本体２内部を任意の空間領域に仕切って、それぞれの第１の中仕切り部材４１、第２の中仕切り部材４２および第３の中仕切り部材４３によるそれぞれの物品収容空間１３および緩衝空間１４を所定の大きさないし形状で形成可能である。
したがって、物品運送用通い箱４０に収容して運搬する物品Ｍの大きさ、形状さらに種類に応じて、箱本体２内の空間を縦方向（深さ方向）および横方向に任意の空間に仕切り可能であり、従来の緩衝材など廃棄物を出すことなく、物品運送用通い箱４０を再利用することができる。
【図面の簡単な説明】
【００４５】
【図１】本発明の第１の実施例による物品運送用通い箱１の斜視図である。
【図２】同、中仕切り部材３の斜視図である。
【図３】同、箱本体２に中仕切り部材３を収容した状態の斜視図である。
【図４】同、物品運送用通い箱１の縦断面図である。
【図５】同、中仕切り部材３の変形例を示す斜視図である。
【図６】本発明の第２の実施例による物品運送用通い箱２０における箱本体２の蓋部２Ｂを取り除いた状態の平面図である。
【図７】本発明の第３の実施例による物品運送用通い箱３０の縦断面図である。
【図８】本発明の第４の実施例による物品運送用通い箱４０における箱本体２の蓋部２Ｂを取り除いた状態の平面図である。
【図９】同、物品運送用通い箱４０の縦断面図である。
【符号の説明】
【００４６】
１  物品運送用通い箱（第１の実施例、図１）
２  箱本体
２Ａ  箱本体２の側面部
２Ｂ  箱本体２の蓋部
２Ｃ  箱本体２の閉鎖片
２Ｄ  側面部２Ａの内壁面
２Ｅ  箱本体２の底面部（図４）
３  中仕切り部材（図２）
４  把持用貫通窓
５  コンテナラベル
６  コンテナラベル５の貼付け部
７  本体面ファスナー
８  中仕切り部材３における第１の中仕切り部材
８Ａ  第１の中仕切り部材８の仕切り面部
８Ｂ  第１の中仕切り部材８の取付け面部
８Ｃ  取付け面部８Ｂの外壁面
８Ｄ  取付け面部８Ｂの内壁面
９  中仕切り部材３における第２の中仕切り部材
９Ａ  第２の中仕切り部材９の補助仕切り面部
９Ｂ  第２の中仕切り部材９の固定端部
９Ｃ  第２の中仕切り部材９の自由端部
９Ｄ  自由端部９Ｃの外壁面
１０  仕切り面ファスナー
１１  第１の補助仕切り面ファスナー
１２  第２の補助仕切り面ファスナー
１３  物品収容空間（図４）
１３Ａ  第１の物品収容空間
１３Ｂ  第２の物品収容空間
１４  緩衝空間（図４）
２０  物品運送用通い箱（第２の実施例、図６）
２１  中仕切り部材
２１Ａ  中仕切り部材２１の仕切り面部
２１Ｂ  中仕切り部材２１の取付け面部
２１Ｃ  取付け面部２１Ｂの外壁面
３０  物品運送用通い箱（第３の実施例、図７）
４０  物品運送用通い箱（第４の実施例、図８）
４１  第１の中仕切り部材
４１Ａ  第１の中仕切り部材４１の仕切り面部
４１Ｂ  第１の中仕切り部材４１の取付け面部
４１Ｃ  取付け面部４１Ｂの外壁面
４２  第２の中仕切り部材
４２Ａ  第２の中仕切り部材４２の仕切り面部
４２Ｂ  第２の中仕切り部材４２の取付け面部
４２Ｃ  取付け面部４２Ｂの外壁面
４３  第３の中仕切り部材
４３Ａ  第３の中仕切り部材４３の仕切り面部
４３Ｂ  第３の中仕切り部材４３の取付け面部
４３Ｃ  取付け面部４３Ｂの外壁面
Ｍ    物品
【図１】
2010006419.tif 000003
【図２】
2010006419.tif 000004
【図３】
2010006419.tif 000005
【図４】
2010006419.tif 000006
【図５】
2010006419.tif 000007
【図６】
2010006419.tif 000008
【図７】
2010006419.tif 000009
【図８】
2010006419.tif 000010
【図９】
2010006419.tif 000011